(57)【要約】【課題】  構造が簡単で低コストであるとともに、機体の破り剥がされやすい部分の破り剥がし行為に対して確実に警報を発生することができる防犯効果が高い自動販売機等の防犯装置を提供する。【解決手段】  機体１００の金銭投入部パネルがドア本体１１１から引き剥がされる際の動きを検出するパネル検出部１２と、金銭投入部パネル１１０がドア本体１１１から引き剥がされる動きの検出結果を受けて外部へ警報を発する警報部１４と、パネル検出部１２からの検出結果によって警報部１４を作動させる制御部１６と、を備える。また、パネル検出部１２は、金銭投入部パネル１１０又はその周縁の離隔複数箇所に設置され、盗難時等の破り剥がしされる際の金銭投入部パネルの複数離隔位置でのドア本体１１１に対する局部的な動きに応動又はその動きを検出する複数の検出装置２２を有する。盗難時のパネルのそりや曲がりを直接に検知し、応動して警報部を作動させる。【選択図】図１
2006011995.tif 000002
【特許請求の範囲】
【請求項１】
機体のドアに形成され内側に金銭受け入れ部を担持する金銭投入部パネルと、
金銭投入部パネルがドア本体から引き剥がされる際の動きを検出するパネル検出部と、
金銭投入部パネルがドア本体から引き剥がされる動きの検出結果を受けて外部へ警報を発する警報部と、
パネル検出部からの検出結果によって警報部を作動させる制御部と、を含み、
パネル検出部は、金銭投入部パネル又はその周縁の離隔複数箇所に設置され、盗難時等の破り剥がしされる際の金銭投入部パネルの複数離隔位置でのドア本体に対する局部的な動きに応動又はその動きを検出する複数の検出装置を有することを特徴とする自動販売機等の防犯装置。
【請求項２】
検出装置は、金銭投入部パネルがドア本体から引き剥がされる動きを接触又は非接触あるいは、電気的、磁気的、光学的手段のいずれかあるいはそれらの組み合わせにより設置個所に対応する部分の動きを検出するセンサ又はスイッチである請求項１記載の自動販売機等の防犯装置。
【請求項３】
ドアのこじ開けを検出するドアこじ開け検出部及び／又は鍵のこじ開けを検出する鍵こじ開け検出部を含むこじ開け検出部を備え、
制御部は、パネル検出部及び／又はこじあけ検出部からの検出結果によって警報部を作動させる請求項１又は２記載の自動販売機等の防犯装置。
【請求項４】
警報部は、制御部からの警報作動指示を受けて外部へ警報を発するとともに遠隔地へ通報する通信手段を有することを特徴とする請求項１又は３のいずれかに記載の自動販売機等の防犯装置。
【請求項５】
制御部を含む各部に電源を供給する、商用電源に接続された蓄電池を含む電源部を有し、
商用電源との電源接続を監視する電源監視部が設けられたことを特徴とする請求項１ないし４のいずれかに記載の自動販売機等の防犯装置。
【発明の詳細な説明】
【技術分野】
【０００１】
本発明は、例えば、飲料、食品、たばこ、その他各種の自動販売機、現金自動預け入れ払い機、金庫等の金品を内部に収容した機体の破壊行為に対して警報を発する自動販売機等の防犯装置に関する。
【背景技術】
【０００２】
自動販売機、現金自動支払い機等は無人で稼働できる反面、夜間等周りに人がいない場合には、機体の一部が破壊されて内部の金品が盗まれるおそれがある。これを防止するために、通常は自動販売機等のドアがこじあけられるとドアの開放を検知して警報を発する警報装置が知られており、例えば、特開平８−２２１６６６号公報に開示されている。特開平８−２２１６６６号公報の盗難警報装置は、自動販売機のドアが閉じた状態でオンとなり開いた状態でオフとなるドアスイッチと、ドアスイッチに電気接続された第１リレーと、第１リレーに接続された第２リレーと、第２リレーが動作することにより閉成してブザーを動作させる警報回路とを備えている。自動販売機のドアがこじあけられてドアスイッチがオフになると、第２リレーが自己保持状態で回路が閉じてブザーが鳴動し続けるものである。
【特許文献１】特開平８−２２１６６６号公報
【発明の開示】
【発明が解決しようとする課題】
【０００３】
しかしながら、上記のような特開平８−２２１６６６号の盗難警報装置を含む従来の自動販売機の警報装置は、ドアの開放を検知して警報を発するものであるから、ドア以外の部分、例えば、図５に示すような自動販売機における金銭投入部パネル部分、を破り剥がす等の破壊行為に対しては検知及び警報を発することができなかった。金銭投入部パネルは、裏面側に金銭装置及び金庫が配置され、自動販売機の本体のパネルに開けた開口に後付け的に接合される場合が多いので泥棒に特に狙われやすい。すなわち破り剥がしされやすい部分であるにも関わらず、該破り剥がし行為を検出できないいという問題があった。さらに、金銭投入部パネルのように破り剥がしされやすい部分は、破り始めの箇所が特定されにくいことが多いので、ドアスイッチを配置しても破り剥がし行為を初期段階で検出しにくく、高い防犯効果を期待できなかった。このような事情で、低廉なコストでしかも専ら金銭投入部パネル部分の破り剥がし行為を厳しく監視し得る装置の出現が待望されていた。
【０００４】
本発明は、上記従来の課題に鑑みてなされたものであり、その目的は、構造が簡単で低コストであるとともに、機体の破り剥がされやすい部分の破り剥がし行為に対して確実に警報を発生することができ、特に犯行の初期段階での不法行為について確実に警報を発して防犯効果が高い自動販売機等の防犯装置を提供することである。
【課題を解決するための手段】
【０００５】
上記の目的を達成するために本発明は、機体１００のドアに形成され内側に金銭受け入れ部１１５を担持する金銭投入部パネル１１０と、金銭投入部パネルがドア本体１１１から引き剥がされる際の動きを検出するパネル検出部１２と、金銭投入部パネル１１０がドア本体１１１から引き剥がされる動きの検出結果を受けて外部へ警報を発する警報部１４と、パネル検出部１２からの検出結果によって警報部１４を作動させる制御部１６と、を含み、パネル検出部１２は、金銭投入部パネル１１０又はその周縁の離隔複数箇所に設置され、盗難時等の破り剥がしされる際の金銭投入部パネルの複数離隔位置でのドア本体１１１に対する局部的な動きに応動又はその動きを検出する複数の検出装置２２を有する自動販売機等の防犯装置１０から構成される。安価なマイクロスイッチやセンサを破り剥がしされやすいドアのパネルの裏面側に複数個設置し、破り剥がしされる際のパネルのそりや曲がりによる物理的な移動を直接に検知し、この物理的な移動あるいは移動量を介して電気的手段により警報作動させる。よって、破り剥がし行為の初期段階で警報を発し有効に防犯を行なえる。金銭投入部パネルのそりや曲がりによる物理的な移動を検知する手段としては、スイッチやセンサが低廉でよい。金銭投入部パネルへの接触、非接触の別は問われない。また、電気、磁気、光、圧力、その他任意の検知手段を用いることが出来る。破り剥がしされやすい金銭投入部パネルと、その周囲のドア本体パネルのいずれにスイッチやセンサ本体を設置してもよいが、盗難にあった場合のセンサの再使用などを考慮すると、ドア本体パネル側に取付けるのがよい。
【０００６】
その際、検出装置２２は、金銭投入部パネル１１０がドア本体１１１から引き剥がされる動きを接触又は非接触あるいは、電気的、磁気的、光学的手段のいずれかあるいはそれらの組み合わせにより設置個所に対応する部分の動きを検出するセンサ又はスイッチであるようにすると良い。マイクロスイッチ、トグルスイッチ等の電気的スイッチの他に、光学スイッチとしては、フォトダイオード、フォトトランジスタ等を利用したスイッチあうりはセンサがある。また、磁気的検知手段としては、例えばホール素子、リードスイッチ等がある。また、接触型としては、例えばストレンゲージ、圧電素子、ダイアフラム等を利用したものなどを用いても良い。これらのセンサ又はスイッチは同種のものを複数個用いても良いし、異種のものを組み合わせて適用しても良い。
【０００７】
また、ドアのこじ開けを検出するドアこじ開け検出部３０及び／又は鍵のこじ開けを検出する鍵こじ開け検出部３２を含むこじ開け検出部１８を備え、制御部１６は、パネル検出部１２及び／又はこじあけ検出部１８からの検出結果によって警報部１４を作動させるようにするとよい。ドアこじ開け検出部３０あるいは鍵こじ開け検出部３２はそれぞれが単独で不正こじ開けを検出して警報部を作動させることもでき、さらにそれらが同時に検出した場合にも警報部を作動させるようにするとよい。
【０００８】
また、警報部１４は、制御部１６からの警報作動指示を受けて外部へ警報を発するとともに遠隔地へ通報する通信手段６０を有するとよい。
【０００９】
さらに、制御部１６を含む各部に電源を供給する、商用電源５４に接続された蓄電池５０を含む電源部２０を有し、
商用電源との電源接続を監視する電源監視部４６を設けるとよい。
【発明の効果】
【００１０】
本発明の防犯装置によれば、機体のドアに形成され内側に金銭貯留部を担持する金銭投入部パネルと、金銭投入部パネルがドア本体から引き剥がされる際の動きを検出するパネル検出部と、金銭投入部パネルがドア本体から引き剥がされる動きの検出結果を受けて外部へ警報を発する警報部と、パネル検出部からの検出結果によって警報部を作動させる制御部と、を含み、パネル検出部は、金銭投入部パネル又はその周縁の離隔複数箇所に設置され、盗難時等の破り剥がしされる際の金銭投入部パネルの複数離隔位置でのドア本体に対する局部的な動きに応動又はその動きを検出する複数の検出装置を有する構成であるから、簡単な構成で、低コストであり、かつ、ドア全体の強制開放でなく自動販売機や金庫等の泥棒に狙われやすい、しかも検出困難な金銭受け入れ部分を特定した金銭投入部パネル部分の破り剥がし動作を犯罪行為の初期段階で確実に検知して警報作動させ、盗難等を予防し得る。
【００１１】
また、検出装置は、金銭投入部パネルがドア本体から引き剥がされる動きを接触又は非接触あるいは、電気的、磁気的、光学的手段のいずれかあるいはそれらの組み合わせにより設置個所に対応する部分の動きを検出するセンサ又はスイッチとすることにより、低廉な部品コストにより防犯装置を構成し得る。
【００１２】
また、ドアのこじ開けを検出するドアこじ開け検出部及び／又は鍵のこじ開けを検出する鍵こじ開け検出部を含むこじ開け検出部を備え、制御部は、パネル検出部及び／又はこじあけ検出部からの検出結果によって警報部を作動させる構成であるから、金銭受け入れ部分の破壊行為だけでなく、ドアや鍵のこじ開け等の不法な行為についてもこれを検出して警報作動し、防犯の予防を実効化し得る。
【００１３】
また、警報部は、制御部からの警報作動指示を受けて外部へ警報を発するとともに遠隔地へ通報する通信手段を有する構成とすることにより、簡単な構成でかつ安価であり、しかも防犯を取り締まる事業所等へ通報して高い防犯効果を維持し得る。
【００１４】
また、制御部を含む各部に電源を供給する、商用電源に接続された蓄電池を含む電源部を有し、商用電源との電源接続を監視する電源監視部が設けられた構成とすることにより、自動販売機の破壊行為の際に、自動販売機全体に電源供給する商用電源プラグを抜取られたり、切断されても蓄電池を介した電力によりこれを検知して警報作動し、防犯効果を確実に機能させ得る。
【発明を実施するための最良の形態】
【００１５】
以下、添付図面を参照しつつ本発明の自動販売機の防犯装置の実施の形態を説明する。本発明の自動販売機の防犯装置は、例えば、自動販売機、現金自動預け払い機、金庫等の金品を収容している機体において、該機体の引き剥がしされやすい部分すなわち泥棒に狙われやすく破壊行為を受けやすい部分に取り付けられ、破り剥がし動作に対応して警報音を発して盗難予防等を行なう防犯装置である。
【００１６】
図１ないし図６は、本発明の自動販売機等の防犯装置の実施の形態を示している。本実施形態においては、図４，５に示すように、例えばジュース缶の自動販売機の例について示している。本実施形態において、自動販売機等の防犯装置（以下、「防犯装置」という。）１０は、缶入り飲料を販売する既設の自動販売機１００に取付けられる。図４は自動販売機１００のドア裏面側構造が見えるように自動販売機のドアを開いて販売機本体の正面側と、ドアの裏面側を示している。販売機本体の内部構造の図示は省略している。図５は、自動販売機のドアを閉めた状態でドアの表面側から見た正面図である。図４、図５において、自動販売機１００は、商品を貯蔵販売する販売機本体１０２と、販売機本体１０２に対して正面左端側を枢着されて片開き状に開閉されるとともに閉鎖状態で施錠可能なドア１０４と、を備えている。ドア１０４は、例えば、全体として金属製の枠および鉄板等を組付けて構成されている。ドア１０４の上部位置に商品選択部１０５、中間位置に金銭投入部１０６、下部位置に商品取出口１０７が配置されている。
【００１７】
金銭投入部１０６は、その他の本体部分とは別構成の金属製パネルからなる金銭投入部パネル１１０と、金銭投入部パネル１１０の表側に設置された表側構成部と、金銭投入部パネル１１０の裏面側に設置された金銭受け入れ部１１５と、を含む。表側構成部は、硬貨投入口１１２、紙幣投入口１１４のほか、返却レバー、計算表示部等を含む。また、金銭受け入れ部１１５は、金銭装置１０８、金庫１０９を含む。したがって、この実施形態では、金銭投入部の構成要素のほとんどは、金銭投入部パネル１１０の表裏面側に設置あるいは取り付けられている。金銭投入部パネル１１０は、ドア１０４の本体パネルに１１１に対して予め設けられた開口に嵌め込みあるいは閉鎖するように、例えばその矩形の縁部がドア１０４の開口縁に溶接等により一体的に取付けられている。なお、図５中にはつり銭口、ドア施錠用鍵穴が設置されている。そして、この金銭投入部パネル１１０のみをバールや破壊用器具で破り剥がしし、内部の金銭のみを持ち去られる場合には従来の検出装置では検知が困難であり、この部分が最も狙われやすい部分であった。本実施形態においては、自動販売機１００を防犯の管理対象となる機体とし、ドア１０４の金銭投入部パネル１１０が破り剥がしされやすい部分とされる。そして、本自動販売機の防犯装置は、この金銭投入部パネルに着目してその破り剥がし動作を検出あるいは、これに応動して警報を外部に発するものである。
【００１８】
なお、防犯装置１０は、上記のように缶入り飲料の自動販売機に限らず、例えば、びん入り飲料、カップ入飲料、菓子、食品、たばこ、切符、食券、切手、新聞、雑誌、文具、衛生用品等或は、両替機、現金自動支払い機、コインロッカー等その他種々の態様の自動販売機に適用しても良く、また、例えば家庭用、業務用の金庫等自動販売機以外のものに取付けて防犯を図ることとしても良い。
【００１９】
図１は、実施形態に係る防犯装置１０のブロック構成説明図であり、図において、防犯装置１０は、金銭投入部パネル１１０と、金銭投入部パネルがドア本体から引き剥がされる際の動きを検出するパネル検出部１２と、警報部１４と、制御部１６と、こじ開け検出部１８と、電源部２０と、を含む。本実施形態の防犯装置は、特に、パネル検出部１２が、ドアの本体パネル１１１に対する金銭投入部パネル１１０の局部的な動きに対応して警報部１４に対し警報駆動させる点が特徴的である。
【００２０】
本実施形態において、防犯装置１０は、ドア１０４の裏面側に設置されており、特に、金銭投入部パネル１１０の動きに対応して所要のスイッチング動作を行ったり、あるいは、検知結果に基づいて警報部に対し作動指示させる。
【００２１】
パネル検出部１２は、金銭投入部パネル１１０がドア本体パネル１１１から引き剥がされる際の動きを検出する検出手段であり、特に、金銭投入部パネル１１０の複数離隔位置でのドア本体１１１に対する局部的な動きを検出して該金銭投入部パネル１１０の破り剥がし行為に対して警報作動させる複数の検出装置２２を含む。本実施形態において、検出装置２２は、ドア裏面側から見た図６−１に示すように、例えば矩形形状の金銭投入部パネル１１０の離隔対向した長辺部分位置の２箇所に設置されている。これらの検出装置２２は、金銭投入部パネル又はその周縁にあって、ドア本体１１１に対する金銭投入部パネル１１０の局部的な動きを検出し、破り剥される動きを検知、あるいはこれに応動して警報駆動させる。
【００２２】
具体的には、検出装置２２は、設置された部位に対応する金銭投入部パネル１１０の局部的な動きを検出するが、本実施形態では、検出対象あるいは検出目標位置は金銭投入部パネルの周縁部分となっている。本実施形態においては、金銭投入部パネル１１０がドア本体１１１から引きはがされる動きを接触式で検知し、その検知信号を制御部１６に供給する。詳細には、本実施形態の検出装置２２は、操作体によるアクチュエータへの外力作用により接点を開閉して所定のスイッチング動作を行うマイクロスイッチ（リミットスイッチ）等の電気的スイッチ部材から構成されており、バネ付勢されて本体ケース２４に対し押し込み、復帰自在に設けられたプッシュプランジャ型のアクチュエータ２６を含む。該検出装置２２は、ドア本体パネル１１１に取付けられたＬ字金具その他の適宜の支持具２８が一端側を金銭投入部パネル１１０側に延設させてマイクロスイッチの本体ケース２４を固定支持している。そして、マイクロスイッチのアクチュエータ２６は、通常時において金銭投入部パネル１１０の裏面側に押し付けられてケース内に押し込まれた状態で制御部１６のリレースイッチをオフとし、金銭投入部パネルが剥されて例えば図２から図３のように周縁部分が強制的に外側等に曲げられた際に浮き上がってアクチュエータ２６が復帰突出し、リレースイッチをオンとするように設定されている。検出装置２２Ａ、２２Ｂのいずれかあるいは両方が金銭投入部パネル１１０の引き剥される動きを検出すると、警報部１４を警報作動させるように連係されている。
【００２３】
検出装置２２は、金銭投入部パネルの引き剥がされる動きを検知するために、金銭投入部パネルの複数離隔位置に配置させ、金銭投入部パネル自体を作動体ドッグとしている。したがって、犯人のどのような引き剥がし態様も検知できて、検知精度を向上させるためには、できるだけ多くの検出装置を金銭投入部パネル縁部の対向位置や、近接位置、あるいはパネル内側等に設置し、微小な剥し動作も検知し得るようにするのが好ましい。したがって、例えば、図６−２のように、四角形状の金銭投入部パネル１１０の長辺あるいは短辺のそれぞれ中央位置に対向して配置させたり（２２Ａ〜２２Ｄ）、あるいは、隅部に配置させる（２２Ｅ）等、種々設置位置を異ならせると良い。また、ここでは図示しないが、支持具２８の支持構造によっては、例えば金銭投入部パネル１１０の中央部分、その他の縁部の内側部分に検出装置を配置させても良い。また、金銭投入部パネル１１０の形状は、矩形以外の形状とする場合には、それに対応してパネルの引き剥がされる際の動きを最も良く検知し得る態様で、複数個の検出装置を設置するとよい。
【００２４】
図１に戻って、本実施形態の防犯装置１０のこじ開け検出部１８は、ドアこじ開け検出部３０と、鍵こじ開け検出部３２と、を含む。ドアこじ開け検出部３０は、詳細図示は省略するが、自動販売機のドアが不正にこじ開けられたか否かを検出する。ドアこじ開け検出部３０は、例えばリードスイッチを含むスイッチ装置からなり、ドアの開閉に対応してドアと自動販売機本体側のいずれかに設けられたリードスイッチが他方側に設けられたマグネットによりオン、オフし、リレー回路を介して制御部への通電回路を開閉する。リードスイッチは、鍵こじ開け検出部３２と電気的に接続されて連係しており、鍵が施錠された状態でドアが開かれた場合にのみ警報作動させる。鍵こじ開け検出部３２は、例えば、光センサからなり、鍵穴へ不自然な物体が挿入されると、これを光学的に検出して回路を閉じ、制御部を介して警報駆動させる。
【００２５】
制御部１６は、パネル検出部１２及び／又はこじ開け検出部１８からの検出結果により、警報部１４を作動制御する制御手段である。本実施形態では、制御部１６は、パネル検出部１２に対応するパネル検出回路３４とこじあけ検出部１８に対応するこじ開け検出回路３６と、を含む。パネル検出回路３４は、第１のマイクロスイッチ２２Ａと第２のマイクロスイッチ２２Ｂとのそれぞれに電気的に接続されてそれぞれの破り剥がし動作検知信号によりスイッチをオン動作させ、警報部を警報作動させる第１リレースイッチ３８を含む。こじ開け検出回路は、ドアのこじ開け及び鍵のこじ開けを検出し、それぞれいずれか又は両方の検知信号を受けてスイッチをオンし、警報作動させる第２リレースイッチ４０と、鍵穴からの鍵の異常なこじ開け操作を検出する鍵こじ開け検出部３２からの信号を受けてオンし、第２リレースイッチ４０をオンさせて警報作動させる第３のリレースイッチ４２と、正常に鍵が施錠された状態でドアが開かれた場合にスイッチをオンさせて第２リレースイッチ４０をオンさせて警報作動させる第４のリレースイッチ４４と、を含む。さらに、制御部１６には、防犯装置１０全体に電力を供給する電源部２０の商用電源との電源接続状態を監視する電源監視部４６が含まれる。電源監視部４６は、例えば１００Ｖ商用電源に接続したプラグが窃盗犯あるいはいたずら等により引抜かれる事態を監視してその状態が発生した場合に警報を作動させる。この電源監視部４６は電源断を感知してその結果の信号をタイマ４８に供給し、例えば１０秒後などの所要時間経過後に警報部１４を作動させ、保守点検時の作業時や単純な引抜け時の電源復旧を可能としている。
【００２６】
電源部２０は、蓄電池等からなる蓄電装置５０を備えており、パネル検出部１２、こじ開け検出部１８、警報部１４、制御部１６に電源を供給する。蓄電装置５０は、例えば、自動販売機の破壊行為の際に、コンセントが引き抜かれたり切断された場合にも、防犯システムが稼働し、該破り剥がしされやすい部分である金銭投入部パネル１１０の破り剥がし行為やドアのこじ開け等を確実に検出して外部に向けて警報作動させる。図において、電源部２０は、変圧器５２を介して商用電源５４と接続されており、平常時はこの商用電源５４を介して蓄電装置５０を充電している。また、電源部２０は、蓄電装置５０に接続され、パネル検出部１２の検出装置２２に作動用降圧電力を供給する変圧部５６を含む。
【００２７】
警報部１４は、制御部からの信号を受けて外部への警報を発する警報発生部５８と、遠隔地に通報する通信装置６０と、を備えている。本実施形態では、警報部１４は、制御部１６、電源部２０と電気的に接続されており、制御部１６の第１あるいは第２リレースイッチ３８，４０により閉鎖接続される防犯システム回路を形成するようになっており、制御部におけるリレー制御によって作動する。警報発生部５８は、例えば、警報音を発生させる警報音発生体、自動販売機の外面部分や家屋内部に設置し外部へ向けて発光する発光装置等を含む。本実施形態では、例えば警報音発生体が設置されている。通信装置６０は、有線または無線で管理者側の端末と接続され、警報作動信号を遠隔地の管理者に送信する。
【００２８】
本実施形態の防犯装置１０は、例えば、自動販売機の引き剥がしされやすい部分、例えば、金銭投入部パネルがバール等により引き剥がしされると、狙われる金銭投入部パネル１１０は平板を無理に捏ねられるから、必ず図３のように同パネル１１０のいずれかの部分が曲げられてドアの外面側に曲がる部分が生じる。この際、金銭投入部パネル１１０であって、それに関連した離れた部分に複数個設置された検出装置２２のいずれかが、確実に同パネル１１０の動きを検知し、通電回路を閉鎖してその検知信号を制御部１６に供給する。信号を受けた第１リレースイッチ３８では、その電磁接点を閉じて電源部２０からの電源供給回路を閉じて警報部１４の警報音を発生させる。同時に、通信装置６０により遠隔地の管理者の端末へ通知する。一方、ドアがこじ開けられた場合には、ドアこじ開け検出部３０のリードスイッチがオンして第４リレースイッチ４４の電磁接点がオンし、第２リレースイッチ４０をオンして警報部を作動させる。また、例えば、管理者が商品補充やメンテナンスの際にドアを開ける際には、ドアを鍵によって正常に解錠して、第３リレースイッチ４２の電磁接点は開き、管理者がドアを開けることによって第４リレースイッチの接点が閉じても第２リレースイッチはオンせず、警報部は作動しない。
【００２９】
上記の自動販売機の金銭投入部パネル１１０は、ドアの本体パネルと別体で製作したものを適宜の方法で外付け固定させたもので説明しているが、ドアパネル全体を一体成形したものであっても良く、狙われる部分は裏面に金銭装置や金庫等を担持した部分であり、これらを担持する部分を金銭投入部パネル１１０として設定するとよい。なお、本実施形態に係る防犯装置が適用される自動販売機の形態は、びん入り、缶入、カップ入飲料、菓子や食品類、たばこ、切符、食券、切手、新聞、雑誌、文具、衛生用品等或は、両替機、現金自動支払い機、コインロッカー等その他種々の態様の自動販売機に適用しても良い。また、防犯ブザー装置が取付けられる破り剥がしされやすい部分は、上記実施形態のように金銭投入部パネルに限らず、防犯管理対象の機体に対応して設定するとよい。
【００３０】
上記した実施形態では、金銭投入部パネルの検出装置として、複数個のマイクロスイッチを用いているが、この金銭投入部パネルの破り剥がし動作の検出については、その他の検出装置を用いても良い。例えば、金銭投入部パネル１１０がドア本体１１１から引き剥がされる動きを非接触あるいは、電気的、磁気的、光学的手段、あるいはそれらの組み合わせにより設置個所に対応する部分のみの動きを検出するセンサ又はスイッチを適用するとよい。光学的手段としては、たとえばフォトインタラプタを含む光センサや赤外線センサ等がある。また、リレー回路については有接点でも無接点リレーであってもよい。
【００３１】
次に、図７，８により、パネル検出部１２のみを異ならしめた第２の実施形態について説明するが、パネル検出部以外は上記の第１実施形態と同一構成であり、それらの図示は省略して説明する。この実施形態では、金銭投入部パネル１１０の外周縁の本体パネル１１１部分であって、金銭投入部パネル１１０を跨いで架設されたコ字形の支持具７０を設置し、これに検出装置２２を複数個取付けている。詳しくは、コ字形支持具は、本体パネル１１１に基部を接着、接合、その他の取付け手段により固定された２個の脚部７１と、脚部の先端同士を連結した台部７２と、を有し、台部７２に検出装置２２を複数個取付けている。これによって、金銭投入部パネル１１０の外縁部分だけでなく、その中央部分についてもアクチュエータの作動域を設定することができ、金銭投入部パネルの破り剥がし動作をより精度高く検出することができる。なお、コ字形支持具７０は、例えば中心から放射状に延びる脚を有しその脚端側を本体パネル１１１側に固定させて金銭投入部パネルの任意の位置に任意複数個取り付けるようにしてもよい。なお、支持具７０は本体パネル１１１に対して脱着自在、あるいは脱着可能に取り付けてもよい。
【００３２】
さらに、図９により、パネル検出部１２のみを異ならしめた第３の実施形態について説明するが、パネル検出部以外は前記した第１実施形態と同一構成であり、それらの図示は省略して説明する。この実施形態では、金銭投入部パネル１１０の裏面側において、同金銭投入部パネルの外周部であるドア本体パネル１１１側に作動部を向けた作動片８０が複数個取付けられている。作動片８０は基部を金銭投入部パネル１１０の裏面側に取付けられて横方向に延長し、その先端を直角状に曲げてドア本体パネル１１１側に作動部を向けて構成された押さえ部材からなり、直角状に曲げられた部分が作動部８１を形成する。そして、該作動片８０の取り付け位置に対応する位置に該作動片８０により作動するアクチュエータ８２を有するマイクロスイッチ８４が設けられている。金銭投入部パネルの破り剥がし動作が行われた場合には、金銭投入部パネル１１０が例えばドアの表面から外方に引き剥がされる方向に動き、この際、金銭投入部パネル１１０に取付けられた作動片８０がアクチュエータ８２を押動させ、スイッチ回路を閉鎖作動させる。これによっても上記同様に金銭投入部パネルの破り剥がし動作を確実に検出することができる。
【００３３】
以上説明した本発明の防犯装置は、上記した実施形態のみの構成に限定されるものではなく、特許請求の範囲に記載した本発明の本質を逸脱しない範囲において、任意の改変を行ってもよい。
【図面の簡単な説明】
【００３４】
【図１】本発明の実施形態の防犯装置のブロック構成説明図である。
【図２】図１の防犯装置の要部拡大一部断面説明図である。
【図３】図２の防犯装置の破り剥がし時の作用説明図である。
【図４】図１の防犯装置を適用した自動販売機のドアを開けて本体内部図示を省略した正面説明図である。
【図５】図４の自動販売機のドアを閉じた状態の正面説明図である。
【図６−１】金銭投入部パネルへの検出装置の取付け状態を示すドアの裏面側から見た説明図である。
【図６−２】金銭投入部パネルへの検出装置の他の取付け状態を示すドアの裏面側から見た説明図である。
【図７】本発明の第２実施形態に係る防犯装置の要部拡大一部断面説明図である。
【図８】図７のドアの裏面側から見た説明図である。
【図９】本発明の第３実施形態に係る防犯装置の要部拡大一部断面説明図である。
【符号の説明】
【００３５】
１０  自動販売機等の防犯装置
１２  パネル検出部
１４  警報部
１６  制御部
１８  こじ開け検出部
２０  電源部
２２  検出装置
２６  アクチュエータ
２８  支持具
３０  ドアこじ開け検出部
３２  鍵こじ開け検出部
４６  電源監視部
６０  通信装置
１００  自動販売機
１１０  金銭投入部パネル
１１１  ドアの本体パネル
【図１】
2006011995.tif 000003
【図２】
2006011995.tif 000004
【図３】
2006011995.tif 000005
【図４】
2006011995.tif 000006
【図５】
2006011995.tif 000007
【図６−１】
2006011995.tif 000008
【図６−２】
2006011995.tif 000009
【図７】
2006011995.tif 000010
【図８】
2006011995.tif 000011
【図９】
2006011995.tif 000012